(57)【特許請求の範囲】
【請求項１】
長方形状の基板と当該基板の一側面から突設した板状の隆起部とを備え、且つ前記隆起部の上面には、ホルダーの離間する二つの掛止凹部のうちの一方に先端部が掛合して前動を阻止するための傾斜状に立設した前傾弾片と、前記前傾弾片と所定の間隔を置いて対称状に立設され、前記他方の掛止凹部に先端部が掛合して後動を阻止するための後傾弾片とを設けると共に、前記基板には、前方内側面に突設した刃体と連絡するための連結突起と、前記前傾弾片と後傾弾片の間に対応する位置に抜止部を設けた案内孔とを設けて一体的に形成され、刃体と一緒にホルダ内に前後動可能に嵌挿される合成樹脂製のスライダ本体と、長手方向の上端及び下端に突縁を有する長方形状の基板と、当該基板の一側面から前方へ突設され、先端部が前記案内孔内へ挿入されると共に前動により前記前傾弾片と掛止凹部との掛合を解除させ、また後動により後傾弾片と掛止凹部との掛合を解除させる解除突起と、当該解除突起の先端に形成されて前記スライダ本体の抜止部に離脱不能に掛合される抜止部とが一体的に形成され、前記スライダ本体に対して前後動可能に嵌着したスライダノブとから構成したことを特徴とするカッタナイフのスライダ。
【発明の詳細な説明】
【０００１】
【発明の属する技術分野】
本発明は、カッタナイフのスライダに係り、とりわけ、ステップスライド型カッタナイフに適用されるオートロック式スライダの改良に関する。
【０００２】
【従来の技術】
従来、この種のカッタナイフのスライダとしては、例えば実公平２−２０９９１号に記載されたものが知られている。
これは、基本的には、刃体と連結する為の連結突起を備えてホルダ内に前後動可能に嵌挿されるスライダ本体と、ホルダの離間する二つの掛止凹部のうちの一方に掛合してホルダに対するスライダ本体の前動を阻止する前傾弾片と，ホルダの離間する二つの掛止凹部のうちの他方に掛合してホルダに対するスライダ本体の後動を阻止する後傾弾片とを備えてスライダ本体に取付けられる弾性掛止体と、前動に依り弾性掛止体の前傾弾片とホルダの掛止凹部との掛合を解除すると共に後動に依り弾性掛止体の後傾弾片とホルダの掛止凹部との掛合を解除する解除突起と，弾性掛止体の前傾弾片と後傾弾片に掛合される抜止部とを備えてスライダ本体に対して前後動可能なスライダノブと、から構成されている。
【０００３】
【発明が解決しようとする課題】
ところが、この様なものは、スライダ本体と弾性掛止体とスライダノブの三つから構成されていたので、依然として部品点数が多く、製造コストが高く付くばかりでなく、組立に手間が掛かる難点があった。又、スライダノブに設けた抜止部を弾性掛止体に掛合させる事に依り組立状態を保つ様にしていたので、衝撃等が加わった際には不用意に分解し易く、弾性掛止体が損傷する惧れもあった。
本発明は、叙上の問題点に鑑み、これを解消する為に創案されたもので、その目的とする処は、部品点数の削減と不用意な分解を防止する様にしたカッタナイフのスライダを提供するにある。
【０００４】
【課題を解決するための手段】
請求項１の発明は、長方形状の基板８と当該基板８の一側面から突設した板状の隆起部１０とを備え、且つ前記隆起部１０の上面には、ホルダー６０の離間する二つの掛止凹部６６のうちの一方に先端部が掛合して前動を阻止するための傾斜状に立設した前傾弾片５と、前記前傾弾片５と所定の間隔を置いて対称状に立設され、前記他方の掛止凹部６６に先端部が掛合して後動を阻止するための後傾弾片６とを設けると共に、前記基板８には、前方内側面に突設した刃体７０と連絡するための連結突起４と、前記前傾弾片５と後傾弾片６の間に対応する位置に抜止部７を設けた案内孔１２とを設けて一体的に形成され、刃体７０と一緒にホルダ６０内に前後動可能に嵌挿される合成樹脂製のスライダ本体２と、長手方向の上端及び下端に突縁１９、１９を有する長方形状の基板１６と、当該基板１６の一側面から前方へ突設され、先端部が前記案内孔１２内へ挿入されると共に前動により前記前傾弾片５と掛止凹部６６との掛合を解除させ、また後動により後傾弾片６と掛止凹部６６との掛合を解除させる解除突起１４と、当該解除突起１４の先端に形成されて前記スライダ本体２の抜止部７に離脱不能に掛合される抜止部１５とが一体的に形成され、前記スライダ本体２に対して前後動可能に嵌着したスライダノブ３とから構成したことを発明の基本構成とするものである。
【０００５】
スライダ本体は、連結突起と前傾弾片と後傾弾片と抜止部を一体的に備えていると共に、スライダノブは、解除突起と抜止部を一体的に備えているので、スライダとしては、スライダ本体とスライダノブの二つの部品で構成される事になり、部品点数が減少される。又、スライダ本体とスライダノブに設けた抜止部どうしを離脱不能に掛合させる様にしたので、組立状態が確実に保たれると共に、前傾弾片と後傾弾片が損傷される事もない。
【０００６】
【発明の実施の形態】
以下、本発明の実施の形態を、図面に基づいて説明する。
図１は、本発明のスライダの分解状態を示す斜視図。図２は、組立状態を示す背面図。図３は、図２の拡大縦断側面図。図４は、カッタナイフにした状態を示す一部を破断した正面図。図５は、前進作動状態を示す図４と同様図である。
【０００７】
スライダ１は、スライダ本体２とスライダノブ３とからその主要部が構成されて居り、カッタナイフ５０に適用される。
【０００８】
カッタナイフ５０は、ホルダ６０と刃体７０とスライダ１等から構成されている。
ホルダ６０は、断面略Ｃ型を呈し、上壁６１、下壁６２、上部表壁６３、下部表壁６４、裏壁６５、上部表壁６３の下部に形成された略三角形を呈する多数の掛止凹部６６とから成り、合成樹脂に依り作製されている。
刃体７０は、略平行四辺形を呈した折刃式にされ、後側に形成された連結孔７１と、下縁に形成された刃７２と、所定間隔毎に形成された折線（図示せず）とを備えて居り、刃物鋼に依り作製されている。
【０００９】
スライダ本体２は、刃体７０と連結する為の連結突起４と，ホルダ６０の離間する二つの掛止凹部６６のうちの一方に掛合して前動を阻止する前傾弾片５と，ホルダ６０の離間する二つの掛止凹部６６のうちの他方に掛合して後動を阻止する後傾弾片６と，抜止部７とを一体的に備えて刃体７０と一緒にホルダ６０内に前後動可能に嵌挿されるもので、この例では、正面略長方形状を呈する基板８と、これの前半に穿設された枠孔９と、基板８の前方表側に突設された連結突起４と、基板８の後半表側に突設されて正面略Ｕ型を呈する隆起部１０と、これの底壁から前上斜め方向に突設された前傾弾片５と、これの後側で隆起部１０の底壁から後上斜め方向に突設されて前傾弾片５とで略Ｖ型を為す後傾弾片６と、隆起部１０の表側に窪設された前後の案内溝１１と、基板８の後半上部に穿設された案内孔１２と、これの前後で前傾弾片５と後傾弾片６に呼応させて基板８に穿設された抜孔１３と、案内孔１２の上下近傍で基板８の裏側に形設された凹状の抜止部７とから成り、合成樹脂に依り一体的に作製されている。
【００１０】
スライダノブ３は、前動に依りスライダ本体２の前傾弾片５とホルダ６０の掛止凹部６６との掛合を解除すると共に後動に依りスライダ本体２の後傾弾片６とホルダ６０の掛止凹部６６との掛合を解除する解除突起１４と，スライダ本体２の抜止部７に分離不能に掛合される抜止部１５とを一体的に備えてスライダ本体２に対して前後動可能なもので、この例では、スライダ本体２の後半と略同じ大きさで正面トラック円状を呈する基板１６と、これの表側に形成された滑止凹凸１７と、基板１６の裏側中程に突設されて前傾弾片５と後傾弾片６の遊端部間に位置されると共に案内孔１２に前後動可能に遊嵌される板状の解除突起１４と、これより下方で基板１６の裏側に突設されて案内溝１１に前後動可能に嵌合される案内突条１８と、基板１６の裏側の上下に突設された突縁１９と、解除突起１４の裏側に設けられて抜止部７に離脱不能に掛合される楔状の抜止部１５とから成り、合成樹脂に依り一体的に作製され、中立位置とこれを挾む前動位置及び後動位置を夫々とり得る。
【００１１】
この様なスライダ１は、次の様にして組み立てられる。スライダ本体２の表側にスライダノブ３を配置した後、スライダノブ３の抜止部１５をスライダ本体２の案内孔１２の表側に当てがい、スライダノブ３をスライダ本体２側に強圧すると、抜孔１３が存する事も相俟まって案内孔１２が拡がり、抜止部１５が案内孔１２を貫通して抜止部７に離脱不能に掛合される。つまり、地獄嵌め又は嵌め殺しされる。そうすると、解除突起１４の後側が案内孔１２に遊嵌されて案内突条１８が案内溝１１に遊嵌されると共に、解除突起１４の前後方向の中程が前傾弾片５と後傾弾片６の遊端部間に位置され、スライダ本体２に対してスライダノブ３が前後動可能に組立られる。
組立られたスライダ１は、スライダ本体２の基板８とスライダノブ３の基板１６に依り隆起部１０の上下に凹溝が形成される事になる。而して、スライダ１は、連結突起４に刃体７０の連結孔７１が嵌挿されて連結された後、上下の凹溝にホルダ６０の上部表壁６３と下部表壁６４が内部に臨むべくホルダ６０に前後動可能に嵌挿される。
【００１２】
次に、この様な構成に基づいて作用を述解する。
図４は、スライダ１がホルダ６０に対して停止し、オートロック状態にある場合を示している。
この時、スライダノブ３は、中立位置にあり、前傾弾片５と後傾弾片６の各遊端部は、ホルダ６０の多数の掛止凹部６６のうちの離間する二つの掛止凹部６６に掛合している。
そして、解除突起１４は、前傾弾片５と後傾弾片６の各遊端部間にその弾力に依り位置して、両弾片５，６と掛止凹部６６との掛合を許容している。
この様な状態で、刃体７０を介してスライダ本体２が前進しようすると、前傾弾片５と掛止凹部６６とが掛合しているので、前傾弾片５が所謂突支え棒として機能し、これが阻止される。
逆に、刃体７０を介してスライダ本体２が後進しようとすると、後傾弾片６と掛止凹部６６とが掛合しているので、後傾弾片６が所謂突支え棒として機能し、これが阻止される。
従って、刃体７０並びにスライダ１は、外力が作用しても、前後いずれの方向にも移動せず、所謂ホルダ６０に対してオートロックされる。
【００１３】
スライダ１をホルダ６０に対して前進させる場合は、中立位置にあるスライダノブ３に指を掛けてこれを前動させる。
そうすると、図５に示す如く、スライダノブ３が前動位置になり、解除突起１４に依り前傾弾片５とホルダ６０の掛止凹部６６との掛合のみが解除され、同状態が保たれたままスライダ本体２とスライダノブ３が一緒に前進し、刃体７０も前進する。
この時、後傾弾片６は、ホルダ６０の掛止凹部６６に掛合離脱を繰返し、スライダ１がステップスライドする。
スライドノブ３から指を放すと、スライダ１の前進が停止され、図４に示す如く、前傾弾片５がホルダ６０の掛止凹部６６に掛合すると共に、前傾弾片５の弾力に依り解除突起１４を介してスライダノブ３が中立位置に戻る。
【００１４】
スライダ１をホルダ６０に対して後進させる場合は、中立位置にあるスライダノブ３に指を掛けてこれを後動させる。
そうすると、スライダノブ３が後動位置になり、解除突起１４に依り後傾弾片６とホルダ６０の掛止凹部６６との掛合のみが解除され、同状態が保たれたままスライダ本体２とスライダノブ４が一緒に後進し、刃体７０も後進する。
この時、前傾弾片５は、ホルダ６０の掛止凹部６６に掛合離脱を繰返し、スライダ１がステップスライドする。
【００１５】
スライダ本体２は、連結突起４と前傾弾片５と後傾弾片６と抜止部７を一体的に備えていると共に、スライダノブ３は、解除突起１４と抜止部１５を一体的に備えているので、スライダ１としては、スライダ本体２とスライダノブ３の二つの部品で構成される事になり、部品点数が減少される。又、スライダ本体２とスライダノブ３に設けた抜止部７，１５どうしを離脱不能に掛合させる様にしたので、組立状態が確実に保たれると共に、前傾弾片５と後傾弾片６が損傷される事もない。
【００１６】
尚、スライダ本体２とスライダノブ３は、先の例では、合成樹脂製であったが、これに限らず、例えば金属製でも良い。
スライダ本体２は、先の例では、前傾弾片５が前側で後傾弾片が後側であったが、これに限らず、例えば前傾弾片５が後側で後傾弾片が前側の略ム型でも良い。
【００１７】
【発明の効果】
以上、既述した如く、本発明に依れば、次の様な優れた効果を奏する事ができる。
（１）  スライダ本体とスライダノブとで構成し、とりわけ連結突起と前傾弾片と後傾弾片と抜止部をスライダ本体に一体的に形成すると共に、解除突起と抜止部をスライダノブに一体的に形成したので、部品点数を削減できる。この為、製造コストの低減が図れると共に、組立が容易になる。
（２）  スライダ本体とスライダノブに夫々離脱不能に掛合する抜止部を設けたので、衝撃等が加わってもスライダ本体とスライダノブが不用意に分解する事がないと共に、前傾弾片と後傾弾片が損傷する事もない。
【図面の簡単な説明】
【図１】本発明のスライダの分解状態を示す斜視図。
【図２】組立状態を示す背面図。
【図３】図２の拡大縦断側面図。
【図４】カッタナイフにした状態を示す一部を破断した正面図。
【図５】前進作動状態を示す図４と同様図。
【符号の説明】
１…スライダ、２…スライダ本体、３…スライダノブ、４…連結突起、５…前傾弾片、６…後傾弾片、７，１５…抜止部、８，１６…基板、９…枠孔、１０…隆起部、１１…案内溝、１２…案内孔、１３…抜孔、１４…解除突起、１７…滑止凹凸、１８…案内突条、１９…突縁、５０…カッタナイフ、６０…ホルダ、６１…上壁、６２…下壁、６３…上部表壁、６４…下部表壁、６５…裏壁、６６…掛止凹部、７０…刃体、７１…連結孔、７２…刃。
【図１】
0003600671.tif 000002
【図２】
0003600671.tif 000003
【図３】
0003600671.tif 000004
【図４】
0003600671.tif 000005
【図５】
0003600671.tif 000006